(57)【要約】【課題】予備プレスを調整することができるボールねじ用調整可能式予備プレス装置を提供する。【解決手段】二つのナットの間に設けられており、少なくとも二つのガイド傾斜部と、少なくとも二つの圧力ガイド子と、を含むボールねじ用調整可能式予備プレス装置において、前記ガイド傾斜部は、前記二つのナットの対向する端面に設けられており、前記圧力ガイド子は、前記二つのナットのガイド傾斜部の間に設けられており、その間に少なくとも一つの調整子が設けられており、前記調整子により前記二つの圧力ガイド子がねじ軸の軸方向に沿って移動して前記ガイド傾斜部との相対位置を調整可能であり、これにより、前記二つのナットの隙間が調整される。【選択図】図２
0003145425.tif 000002
【実用新案登録請求の範囲】
【請求項１】
二つのナットの間に設けられており、少なくとも二つのガイド傾斜部と、少なくとも二つの圧力ガイド子と、を含むボールねじ用調整可能式予備プレス装置において、
前記ガイド傾斜部は、前記二つのナットの対向する端面に設けられており、
前記圧力ガイド子は、前記二つのナットのガイド傾斜部の間に設けられており、その間に少なくとも一つの調整子が設けられており、前記調整子により前記二つの圧力ガイド子がねじ軸の軸方向に沿って移動して前記ガイド傾斜部との相対位置を調整可能であり、これにより、前記二つのナットの隙間が調整されることを特徴とするボールねじ用調整可能式予備プレス装置。
【請求項２】
更に、少なくとも一つの固定子と、少なくとも二つの圧力ガイド子と、を含み、
前記固定子は、前記二つのナットのうちの一つのナットの端部に固定されており、前記二つのナットの残るナットの端部には少なくとも二つのガイド傾斜部が設けられており、前記ガイド傾斜部がある傾斜角度に傾斜しており、
前記圧力ガイド子は、前記ガイド傾斜部に応じてガイド部が設けられており、前記ガイド部が前記ガイド傾斜部に摺動可能に設けられており、前記少なくとも二つの圧力ガイド子の間には少なくとも一つの調整子が設けられていることを特徴とする、請求項１に記載のボールねじ用調整可能式予備プレス装置。
【請求項３】
前記二つの圧力ガイド子の間に設けられている調整子は、大径なヘッド部と、前記ヘッド部に連接しているロッドと、から構成されるボルト形状を呈し、前記ロッドの周面に螺旋が設けられており、前記二つの圧力ガイド子のうちの一つの圧力ガイド子には前記調整子に応じて貫通孔が開設されており、前記二つの圧力ガイド子の残る圧力ガイド子には前記調整子に応じてねじ穴が開設されており、前記調整子のヘッド部が前記貫通孔を通過不能にするように、前記調整子を前記貫通孔に貫入して前記ねじ穴にねじ込むことを特徴とする、請求項２に記載のボールねじ用調整可能式予備プレス装置。
【請求項４】
二つのナットの間に設けられており、少なくとも一つの固定子と、少なくとも二つの圧力ガイド子と、を含むボールねじ用調整可能式予備プレス装置において、
前記固定子は、少なくとも一つの固定子と、少なくとも二つの圧力ガイド子と、を含み、
前記固定子は、前記二つのナットのうちの一つのナットの端部に固定されており、前記二つのナットの残るナットの端部には少なくとも二つのガイド傾斜部が設けられており、前記ガイド傾斜部がある傾斜角度に傾斜しており、
前記圧力ガイド子は、前記ガイド傾斜部に応じてガイド部が設けられており、前記ガイド部が前記ガイド傾斜部に摺動可能に設けられており、前記少なくとも二つの圧力ガイド子の間には少なくとも一つの調整子が設けられており、前記調整子により前記二つの圧力ガイド子がねじ軸の軸方向に沿って移動して前記ガイド傾斜部との相対位置を調整可能であり、これにより、前記二つのナットの隙間が調整されることを特徴とする
ボールねじ用調整可能式予備プレス装置。
【請求項５】
前記二つの圧力ガイド子の間に設けられている調整子は、大径なヘッド部と、前記ヘッド部に連接しているロッドと、から構成されるボルト形状を呈し、前記ロッドの周面に螺旋が設けられており、前記二つの圧力ガイド子のうちの一つの圧力ガイド子には前記調整子に応じて貫通孔が開設されており、前記二つの圧力ガイド子の残る圧力ガイド子には前記調整子に応じてねじ穴が開設されており、前記調整子のヘッド部が前記貫通孔を通過不能にするように、前記調整子を前記貫通孔に貫入して前記ねじ穴にねじ込むことを特徴とする、請求項４に記載のボールねじ用調整可能式予備プレス装置。
【考案の詳細な説明】
【技術分野】
【０００１】
本考案は、リニアに伝動するためのボールねじに関し、特に、予備プレスを調整可能なボールねじ用調整可能式予備プレス装置に関するものである。
【背景技術】
【０００２】
精密機械において、工作プレートフォーム、又はワークの移動を制御することが不可欠なことであり、送りを精確に制御するために、ボールねじを利用することが多く、ボールねじが螺旋によって伝動するものであるので、螺旋の移動にはバックラッシュが発生され、逆回転時にはバックラッシュによって公差が不良になり、このバックラッシュを無くすために、調整可能式予備プレス構成を設けることが一般であり、従来の調整可能式予備プレス構成は、図１０に示すように、ボールねじ１０には対向している二つのナット１１，１２が設けられており、ナット１１の一辺に固定予備プレス片１３が固定されており、固定予備プレス片１３には傾斜面１３１が設けられており、ナット１２の一辺に自在予備プレス片１４が結合されており、自在予備プレス片１４には前記傾斜面１３１に合せ可能な傾斜面１４１が設けられており、二つのナット１１，１２の間にある自在予備プレス片１４の外面には固定キー１５が結合されており、固定キー１５には自在予備プレス片１４に推力を加える調整ねじ１６が設けられており、調整ねじ１６を回転すると傾斜面１３１，１４１が移動されて自在予備プレス片１４が押えられる。
【０００３】
しかしながら、固定予備プレス片１３と自在予備プレス片１４は、調整ねじ１６を固定キー１５に固定して予備プレスの調整を施し、強度がスリムな固定キー１５によるので、強度不足の虞があり、一方、従来のものの調整可能な範囲は、固定キー１５の厚さ及び調整ねじ１６の長さに規制されるので、より小さいであり、また、固定予備プレス片１３と自在予備プレス片１４の移動が斜面１３１，１４１の合せだけによって得られ、予備プレスの調整が自在予備プレス片１４の移動によるので、発生される推力が不均一であり、ナット１１，１２の間の予備プレスを正確に調整することができない。
【考案の開示】
【考案が解決しようとする課題】
【０００４】
本考案の主な目的は、予備プレスを調整することができるボールねじ用調整可能式予備プレス装置を提供することにある。
【課題を解決するための手段】
【０００５】
本考案の請求項１に記載のボールねじ用調整可能式予備プレス装置によると、二つのナットの間に設けられており、少なくとも二つのガイド傾斜部と、少なくとも二つの圧力ガイド子と、を含むボールねじ用調整可能式予備プレス装置において、前記ガイド傾斜部は、前記二つのナットの対向する端面に設けられており、前記圧力ガイド子は、前記二つのナットのガイド傾斜部の間に設けられており、その間に少なくとも一つの調整子が設けられており、前記調整子により前記二つの圧力ガイド子がねじ軸の軸方向に沿って移動して前記ガイド傾斜部との相対位置を調整可能であり、これにより、前記二つのナットの隙間が調整されることを特徴とするボールねじ用調整可能式予備プレス装置である。
【０００６】
本考案の請求項２に記載のボールねじ用調整可能式予備プレス装置によると、更に、少なくとも一つの固定子と、少なくとも二つの圧力ガイド子と、を含み、前記固定子は、前記二つのナットのうちの一つのナットの端部に固定されており、前記二つのナットの残るナットの端部には少なくとも二つのガイド傾斜部が設けられており、前記ガイド傾斜部がある傾斜角度に傾斜しており、前記圧力ガイド子は、前記ガイド傾斜部に応じてガイド部が設けられており、前記ガイド部が前記ガイド傾斜部に摺動可能に設けられており、前記少なくとも二つの圧力ガイド子の間には少なくとも一つの調整子が設けられている。
【０００７】
本考案の請求項３に記載のボールねじ用調整可能式予備プレス装置によると、前記二つの圧力ガイド子の間に設けられている調整子は、大径なヘッド部と、前記ヘッド部に連接しているロッドと、から構成されるボルト形状を呈し、前記ロッドの周面に螺旋が設けられており、前記二つの圧力ガイド子のうちの一つの圧力ガイド子には前記調整子に応じて貫通孔が開設されており、前記二つの圧力ガイド子の残る圧力ガイド子には前記調整子に応じてねじ穴が開設されており、前記調整子のヘッド部が前記貫通孔を通過不能にするように、前記調整子を前記貫通孔に貫入して前記ねじ穴にねじ込む。
【０００８】
本考案の請求項４に記載のボールねじ用調整可能式予備プレス装置によると、二つのナットの間に設けられており、少なくとも一つの固定子と、少なくとも二つの圧力ガイド子と、を含むボールねじ用調整可能式予備プレス装置において、前記固定子は、少なくとも一つの固定子と、少なくとも二つの圧力ガイド子と、を含み、前記固定子は、前記二つのナットのうちの一つのナットの端部に固定されており、前記二つのナットの残るナットの端部には少なくとも二つのガイド傾斜部が設けられており、前記ガイド傾斜部がある傾斜角度に傾斜しており、前記圧力ガイド子は、前記ガイド傾斜部に応じてガイド部が設けられており、前記ガイド部が前記ガイド傾斜部に摺動可能に設けられており、前記少なくとも二つの圧力ガイド子の間には少なくとも一つの調整子が設けられており、前記調整子により前記二つの圧力ガイド子がねじ軸の軸方向に沿って移動して前記ガイド傾斜部との相対位置を調整可能であり、これにより、前記二つのナットの隙間が調整されることを特徴とするボールねじ用調整可能式予備プレス装置である。
【０００９】
本考案の請求項５に記載のボールねじ用調整可能式予備プレス装置によると、前記二つの圧力ガイド子の間に設けられている調整子は、大径なヘッド部と、前記ヘッド部に連接しているロッドと、から構成されるボルト形状を呈し、前記ロッドの周面に螺旋が設けられており、前記二つの圧力ガイド子のうちの一つの圧力ガイド子には前記調整子に応じて貫通孔が開設されており、前記二つの圧力ガイド子の残る圧力ガイド子には前記調整子に応じてねじ穴が開設されており、前記調整子のヘッド部が前記貫通孔を通過不能にするように、前記調整子を前記貫通孔に貫入して前記ねじ穴にねじ込む。
【考案の効果】
【００１０】
本考案のボールねじ用調整可能式予備プレス装置によれば、次のような効果がある。
（１）本考案に係るボールねじ用調整可能式予備プレス装置の二つのナットの予備プレスの調整は、環設された複数の圧力ガイド子に調整子を合せて二つのナットに加えられる予備プレスを調整するので、環状覆いの設計によって支持強度が増加し、二つのナットの引き力又は押え力が大きくなり、圧力ガイド子又は他の構造が変形しなくなり、全体の使用が更に安定になる。
【００１１】
（２）本考案に係るボールねじ用調整可能式予備プレス装置の二つのナットの予備プレスの調整は、圧力ガイド子が環状に形成されており、圧力ガイド子の周面に調整子が貫入されており、これにより、調整子によって予備プレスを調整可能な範囲が更に大きくなる。
【００１２】
（３）本考案に係るボールねじ用調整可能式予備プレス装置の二つのナットの予備プレスの調整は、圧力ガイド子が環状に形成されており、圧力ガイド子の周面に調整子が貫入されており、これにより、周面に予備プレスを均一に加えることができ、二つのナットの間の予備プレスを正確に調整することができる。
【考案を実施するための最良の形態】
【００１３】
以下、本考案の実施の形態を図面に基づいて説明する。
【実施例１】
【００１４】
まず、図１及び図２を参照する。本考案に係るボールねじは、ねじ軸１０と、ねじ軸１０に設けられる二つのナット２０と、を含む。
本考案に係るボールねじ用調整可能式予備プレス装置は、二つのナット２０の間に設けられており、二つの固定子３０と、二つの調整子４０と、二つの圧力ガイド子５０と、含む。
【００１５】
前記固定子３０は、円盤形状を呈し、二つのナット２０の端部にそれぞれ固定されており、二つのナット２０の端部に対向する端面の側辺には少なくとも一つのガイド傾斜部３１が設けられており、ガイド傾斜部３１がある傾斜角度に傾斜しており、他側辺には少なくとも一つのガイド部３２が設けられている。
【００１６】
前記調整子４０は、大径なヘッド部４１と、ヘッド部４１に連接しているロッド４２と、から構成されるボルト形状を呈し、ロッド４２の周面に螺旋が設けられている。
【００１７】
前記圧力ガイド子５０は、半円な円弧形状を呈し、ガイド傾斜部３１に応じてガイド部５１が設けられており、ガイド部５１がガイド傾斜部３１に摺動可能に設けられており、なお、一つの圧力ガイド子５０が二つの調整子４０に応じて貫通孔５２がそれぞれ開設されており、他の圧力ガイド子５０が調整子４０に応じてねじ穴５３が開設されており、他側辺には少なくとも一つのガイド部５４が設けられている。
【００１８】
本考案に係るボールねじ用調整可能式予備プレス装置の組合は、図１、図３及び図４に示すように、二つの固定子３０がそれぞれ二つのナット２０の対向する内側の端部の固定されており、二つのナット２０の端面に二つのガイド傾斜部３１が設けられており、二つの圧力ガイド子５０を突き合わせると円盤形状が形成され、ガイド部５１がガイド傾斜部３１に対向するように、二つの圧力ガイド子５０が二つの固定子３０の間に設けられており、二つの圧力ガイド子５０がガイド部３２に沿って移動可能にすると共に、ガイド部５１がガイド傾斜部３１の傾斜度に沿ってずれるように、二つの固定子３０にあるガイド部３２にガイド部５４を合せ、ヘッド部４０が貫通孔５２を通過不能にするように、圧力ガイド子５０に開設された貫通孔５２に二つの調整子４０をそれぞれに貫入して他の圧力ガイド子５０に開設されたねじ穴５３にねじ込む。
【００１９】
本考案に係るボールねじ用調整可能式予備プレス装置の使用方法は、図５及び図６に示すように、二つの調整子４０を回転することにより、二つの圧力ガイド子５０の隙間を調整することができ、二つの圧力ガイド子５０のガイド部５４が二つの固定子３０のガイド部３２を移動することによりその隙間を調整することができ、二つの圧力ガイド子５０の隙間が小さいほど、両側にある固定子３０はガイド部５１がガイド傾斜部３１の傾斜角度に沿って軸方向に押出されて距離が大きくなり、そして二つのナット２０の隙間が増加し、これにより、予備プレスを調整することができ、逆に、二つの圧力ガイド子５０の隙間を大きくすることにより、予備プレスを調整することもできる。
【実施例２】
【００２０】
まず、図７を参照する。本考案に係るボールねじは、ねじ軸１００と、ねじ軸１００に設けられる二つのナット２００と、を含む。二つのナット２００の対向する端面の一側辺に少なくとも一つのガイド傾斜部２１０が設けられており、ガイド傾斜部２１０がある傾斜角度に傾斜しており、他側辺には少なくとも一つのガイド部２２０が設けられている。
【００２１】
本考案に係るボールねじ用調整可能式予備プレス装置は、二つのナット２００の間に設けられており、二つの調整子４００と、二つの圧力ガイド子５００と、含む。
前記調整子４００は、大径なヘッド部４１０と、ヘッド部４１０に連接しているロッド４２０と、から構成されるボルト形状を呈し、ロッド４２０の周面に螺旋が設けられている。
【００２２】
前記圧力ガイド子５００は、半円な円弧形状を呈し、ガイド傾斜部２１０に応じてガイド部５１０が設けられており、ガイド部５１０がガイド傾斜部２１０に摺動可能に設けられており、なお、一つの圧力ガイド子５００が二つの調整子４００に応じて貫通孔５２０がそれぞれ開設されており、他の圧力ガイド子５０が調整子４００に応じてねじ穴５３０が開設されており、他側辺には少なくとも一つのガイド部５４０が設けられている。
【００２３】
本考案に係るボールねじ用調整可能式予備プレス装置の組合は、二つの圧力ガイド子５０を突き合わせると円盤形状が形成され、ガイド部５１０がガイド傾斜部２１０に対向するように、二つの圧力ガイド子５００が二つの固定子ナット２０の間に設けられており、ガイド子５００がガイド部２２０に沿って移動可能にすると共に、ガイド部５１０がガイド傾斜部２１０の傾斜度に沿ってずれるように、二つのナット２００のガイド部２２０にガイド部５４０を合せ、ヘッド部４００が貫通孔５２０を通過不能にするように、圧力ガイド子５００に開設された貫通孔５２０に二つの調整子４００をそれぞれに貫入して他の圧力ガイド子５００に開設されたねじ穴５３０にねじ込む。
【実施例３】
【００２４】
まず、図８を参照する。本考案に係るボールねじは、ねじ軸１０１と、ねじ軸１０１に設けられる二つのナット２０１と、を含む。
本考案に係るボールねじ用調整可能式予備プレス装置は、二つのナット２０１の間に設けられており、二つの固定子３０１と、二つの調整子４０１と、二つの圧力ガイド子５０１と、含む。
【００２５】
前記固定子３０１は、二つのナット２０１の端部にそれぞれ固定されており、一つのナット２０１の端部に対向する端面の側辺には少なくとも一つのガイド傾斜部３１１が設けられており、ガイド傾斜部３１１がある傾斜角度に傾斜しており、他側辺には少なくとも一つのガイド部３２１が設けられている。
前記調整子４０１は、大径なヘッド部４１１と、ヘッド部４１１に連接しているロッド４２１と、から構成されるボルト形状を呈し、ロッド４２１の周面に螺旋が設けられている。
【００２６】
前記圧力ガイド子５０１は、半円な円弧形状を呈し、ガイド傾斜部３１１に応じてガイド部５１１が設けられており、ガイド部５１１がガイド傾斜部３１１に摺動可能に設けられており、なお、一つの圧力ガイド子５０１が二つの調整子４０１に応じて貫通孔５２１がそれぞれ開設されており、他の圧力ガイド子５０１が調整子４０１に応じてねじ穴５３１が開設されており、他側辺には少なくとも一つのガイド部５４１が設けられている。
【００２７】
本考案に係るボールねじ用調整可能式予備プレス装置の組合は、図９に示すように、二つの固定子３０１がそれぞれ二つのナット２０１の対向する内側の端部の固定されており、二つのナット２０１の端面に二つのガイド傾斜部３１１が設けられており、二つの圧力ガイド子５０１を突き合わせると円盤形状が形成され、ガイド部５１１がガイド傾斜部３１１に対向するように、二つの圧力ガイド子５０１が二つの固定子３０１の間に設けられており、二つの圧力ガイド子５０１がガイド部３２１に沿って移動可能にすると共に、ガイド部５１１がガイド傾斜部３１１の傾斜度に沿ってずれるように、二つの固定子３０１にあるガイド部３２１にガイド部５４１を合せ、ヘッド部４１１が貫通孔５２１を通過不能にするように、圧力ガイド子５０１に開設された貫通孔５２１に二つの調整子４０１をそれぞれに貫入して他の圧力ガイド子５０１に開設されたねじ穴５３１にねじ込む。
【図面の簡単な説明】
【００２８】
【図１】本考案の組合せ状態の斜視図である。
【図２】本考案の分解斜視図である。
【図３】本考案の組合せ状態の側面断面図である。
【図４】本考案の組合せ状態の正面断面図である。
【図５】本考案の調整動作を示す側面図である。
【図６】本考案の調整動作を示す正面図である。
【図７】本考案の別の実施例の分解斜視図である。
【図８】本考案の更に別の実施例の分解斜視図である。
【図９】本考案の更に別の実施例の組合せ状態の側面断面図である。
【図１０】従来のものの組合せ状態の断面図である。
【符号の説明】
【００２９】
１０：ねじ軸
１１：ナット
１２：ナット
１３：固定予備プレス片
１４：自在予備プレス片
１５：固定キー
１６：調整ねじ
２０：ナット
３０：固定子
３１：ガイド傾斜部
３２：ガイド部
４０：調整子
４１：ヘッド部
４２：ロッド
５０：圧力ガイド子
５１：ガイド部
５２：貫通孔
５３：ねじ穴
５４：ガイド部
１００：ねじ軸
１０１：ねじ軸
１３１：傾斜面
１４１：傾斜面
２００：ナット
２０１：ナット
２１０：ガイド傾斜部
２２０：ガイド部
３０１：固定子
３１１：ガイド傾斜部
３２１：ガイド部
４００：調整子
４０１：調整子
４１０：ヘッド部
４１１：ヘッド部
４２０：ロッド
４２１：ロッド
５００：圧力ガイド子
５０１：圧力ガイド子
５１０：ガイド部
５１１：ガイド部
５２０：貫通孔
５２１：貫通孔
５３０：ねじ穴
５３１：ねじ穴
５４０：ガイド部
５４１：ガイド部
【図１】
0003145425.tif 000003
【図２】
0003145425.tif 000004
【図３】
0003145425.tif 000005
【図４】
0003145425.tif 000006
【図５】
0003145425.tif 000007
【図６】
0003145425.tif 000008
【図７】
0003145425.tif 000009
【図８】
0003145425.tif 000010
【図９】
0003145425.tif 000011
【図１０】
0003145425.tif 000012